(57)【特許請求の範囲】
【請求項１】
複数の吊りロッドとこれら複数の吊りロッドの上端部が支持される支持材とこれら複数の吊りロッドの下端部に設けられた固定部材とから成る吊りロッドパネルと、前記吊りロッドパネルの前記固定部材に固定される段板とを備え、
前記吊りロッドパネルの前記固定部材は、固定される前記段板の奥行き方向の長さに合わせて、その奥行きが長尺とされていることを特徴とする吊り階段構造。
【請求項２】
前記段板の幅方向の両端部が前記吊りロッドパネルの前記固定部材に固定されていることを特徴とする請求項１に記載の吊り階段構造。
【請求項３】
前記段板の幅方向の一方の端部が前記吊りロッドパネルの前記固定部材に固定されており、前記段板の幅方向の他方の端部は壁体に固定されていることを特徴とする請求項１に記載の吊り階段構造。
【請求項４】
前記吊りロッドパネルの前記固定部材に床構造体が固定され、踊り場又は中間床が形成されていることを特徴とする請求項１乃至３のいずれか１項に記載の吊り階段構造。
【請求項５】
請求項１乃至４のいずれか１項に記載の吊り階段構造による吊り階段の一部乃至全体を備えていることを特徴とする建物ユニット。
【請求項６】
請求項５に記載の建物ユニットを備えていることを特徴とするユニット建物。
【請求項７】
請求項１乃至４のいずれか１項に記載の吊り階段構造による吊り階段の一部を予め備えた建物ユニット同士を組み付け、残りの吊り階段構造を現場で施工して、吊り階段の全体を構築することを特徴とするユニット建物の構築方法。
【請求項８】
複数の吊りロッドとこれら複数の吊りロッドの上端部が支持される支持材とこれら複数の吊りロッドの下端部に設けられた固定部材とから成る吊りロッドパネルと、前記吊りロッドパネルの前記固定部材に固定される段板とを備えている吊り階段構造による吊り階段の一部を予め備えた建物ユニット同士を組み付け、残りの吊り階段構造を現場で施工して、吊り階段の全体を構築することを特徴とするユニット建物の構築方法。
【請求項９】
請求項１乃至４のいずれか１項に記載の吊り階段構造を構成する吊りロッドパネルの製造方法であって、
前記支持材に、ロッド位置出し治具を設け、前記複数の吊りロッドの上端部と前記ロッド位置出し治具とに前記支持材の長手方向に設けた位置出し孔へ位置出し用の線材を通し、この線材を張設して前記支持材に対する前記複数の吊りロッドの位置出しを行った状態で、前記支持材と前記複数の吊りロッドとを固定することを特徴とする吊りロッドパネルの製造方法。
【請求項１０】
複数の吊りロッドとこれら複数の吊りロッドの上端部が支持される支持材とこれら複数の吊りロッドの下端部に設けられた固定部材とから成る吊りロッドパネルと、前記吊りロッドパネルの前記固定部材に固定される段板とを備えている吊り階段構造を構成する吊りロッドパネルの製造方法であって、
前記支持材に、ロッド位置出し治具を設け、前記複数の吊りロッドの上端部と前記ロッド位置出し治具とに前記支持材の長手方向に設けた位置出し孔へ位置出し用の線材を通し、この線材を張設して前記支持材に対する前記複数の吊りロッドの位置出しを行った状態で、前記支持材と前記複数の吊りロッドとを固定することを特徴とする吊りロッドパネルの製造方法。
【発明の詳細な説明】
【技術分野】
【０００１】
本発明は、吊り階段構造、この吊り階段構造を備えた建物ユニット、この建物ユニットを備えたユニット建物、このユニット建物の構築方法、及びこの吊り階段構造を構成する吊りロッドパネルの製造方法に関するものである。
【背景技術】
【０００２】
従来から、吊り階段は周知のものであり、関連する技術は多数提案されている（例えば特許文献１を参照）。
【先行技術文献】
【特許文献】
【０００３】
【特許文献１】特開２００５−６７８４４号公報
【発明の概要】
【発明が解決しようとする課題】
【０００４】
しかしながら、上記した特許文献１のような多くの吊り階段は、長期の使用に耐え得るだけの強度を有しないため、殆どが仮設用として使用されており、一般の建物には実施されていないのが実情である。
【０００５】
そこで、本発明は、長期の使用に耐え、一般の建物に実施することができる吊り階段構造、この吊り階段構造を備えた建物ユニット、この建物ユニットを備えたユニット建物、このユニット建物の構築方法、及びこの吊り階段構造を構成する吊りロッドパネルの製造方法を提供することを目的としている。
【課題を解決するための手段】
【０００６】
前記目的を達成するために、本発明の吊り階段構造は、複数の吊りロッドとこれら複数の吊りロッドの上端部が支持される支持材とこれら複数の吊りロッドの下端部に設けられた固定部材とから成る吊りロッドパネルと、前記吊りロッドパネルの前記固定部材に固定される段板とを備えていることを特徴とする。
【０００７】
ここで、前記段板の幅方向の両端部が前記吊りロッドパネルの前記固定部材に固定されていてもよい。
【０００８】
また、前記段板の幅方向の一方の端部が前記吊りロッドパネルの前記固定部材に固定されており、前記段板の幅方向の他方の端部は壁体に固定されていてもよい。
【０００９】
さらに、前記吊りロッドパネルの前記固定部材は、固定される前記段板の奥行き方向の長さに合わせて、その奥行きが長尺とされていてもよい。
【００１０】
また、前記吊りロッドパネルの前記固定部材に床構造体が固定され、踊り場又は中間床が形成されていてもよい。
【００１１】
本発明の建物ユニットは、上記した吊り階段構造による吊り階段の一部乃至全体を備えていることを特徴とする。
【００１２】
本発明のユニット建物は、上記した建物ユニットを備えていることを特徴とする。
【００１３】
本発明のユニット建物の構築方法は、上記した吊り階段構造による吊り階段の一部を予め備えた建物ユニット同士を組み付け、残りの吊り階段構造を現場で施工して、吊り階段の全体を構築することを特徴とする。
【００１４】
本発明の吊りロッドパネルの製造方法は、上記した吊り階段構造を構成する吊りロッドパネルの製造方法であって、前記支持材に、ロッド位置出し治具を設け、前記複数の吊りロッドの上端部と前記ロッド位置出し治具とに前記支持材の長手方向に設けた位置出し孔へ位置出し用の線材を通し、この線材を張設して前記支持材に対する前記複数の吊りロッドの位置出しを行った状態で、前記支持材と前記複数の吊りロッドとを固定することを特徴とする。
【発明の効果】
【００１５】
このような本発明の吊り階段構造は、複数の吊りロッドと複数の吊りロッドの上端部が支持される支持材と複数の吊りロッドの下端部に設けられた固定部材とから成る吊りロッドパネルと、吊りロッドパネルの固定部材に固定される段板とを備えた構成とされている。
【００１６】
こうした構成なので、吊りロッドパネルは、吊りロッドが支持材により拘束されるため、剛性のあるパネル部材として扱うことができ、作業用の床や足場などを設けなくとも、上階より固定することができ、施工性に優れる。
【００１７】
また、吊りロッドパネルが高い強度を有するため、長期の使用に耐え、一般の建物に実施可能な吊り階段を構築することができる。
【００１８】
そのうえ、設置位置の自由度が高いため、建物のリフォームで実施することにも適している。
【００１９】
ここで、段板の幅方向の両端部が吊りロッドパネルの固定部材に固定されている場合は、固定部に吊りロッドパネルを吊設し、段板の幅方向の両端部を固定部材に固定するだけで、施工性が良く、吊り階段を構築することができる。
【００２０】
また、段板の幅方向の一方の端部が吊りロッドパネルの固定部材に固定されており、段板の幅方向の他方の端部は壁体に固定されている場合は、固定部に吊りロッドパネルを吊設し、段板の幅方向の一方の端部を固定部材に固定し、段板の幅方向の他方の端部は壁体で支持するため、より施工性が良く、吊り階段を構築することができる。
【００２１】
さらに、吊りロッドパネルの固定部材は、固定される段板の奥行き方向の長さに合わせて、その奥行きが長尺とされている場合は、吊りロッドパネルは、吊りロッドの上端部が支持材で拘束され、下端部は固定部材で拘束されるため、より剛性のあるパネル部材となる。よって、この吊りロッドパネルは、搬入や取付が行い易く、施工後の吊り階段構造も剛性がある揺れ等の少ない構成となる。
【００２２】
また、吊りロッドパネルの固定部材に床構造体が固定され、踊り場又は中間床が形成されている場合は、床構造体の下に柱等の無い吊り構造の踊り場や中間床を簡易に構成することができる。
【００２３】
このような本発明の建物ユニットは、上記した吊り階段構造による吊り階段の一部乃至全体を備えた構成とされている。
【００２４】
こうした構成なので、工場などで、建物ユニットに、本発明の吊り階段構造を予め設けておけば、吊り階段を備えたユニット建物の施工性をより高めることができる。
【００２５】
このような本発明のユニット建物は、上記した建物ユニットを備えた構成とされている。
【００２６】
こうした構成なので、上記した吊り階段構造の効果を享受したユニット建物を構築することができる。
【００２７】
このような本発明のユニット建物の構築方法は、上記した吊り階段構造による吊り階段の一部を予め備えた建物ユニット同士を組み付け、残りの吊り階段構造を現場で施工して、吊り階段の全体を構築する構成とされている。
【００２８】
こうした構成なので、異なる建物ユニット間に跨って、上記した吊り階段構造を実施する際に、現場の施工段階で、容易に施工誤差を吸収する処置を行うことができる。
【００２９】
このような本発明の吊りロッドパネルの製造方法は、上記した吊り階段構造を構成する吊りロッドパネルの製造方法であって、支持材に、ロッド位置出し治具を設け、複数の吊りロッドの上端部とロッド位置出し治具とに支持材の長手方向に設けた位置出し孔へ位置出し用の線材を通し、線材を張設して支持材に対する複数の吊りロッドの位置出しを行った状態で、支持材と複数の吊りロッドとを固定する構成とされている。
【００３０】
こうした構成なので、複数の吊りロッドの下端部位置が略設計通りとなるため、寸法精度の高い吊りロッドパネルを製造することができる。
【図面の簡単な説明】
【００３１】
【図１】実施例１のユニット建物の概略構成を示す説明図である。
【図２】図１のＡ−Ａ線矢視拡大断面図である。
【図３】実施例１の吊り階段に用いられる吊りロッドパネルの概略構成を示す斜視図である。
【図４】実施例１の吊り階段に用いられる吊りロッドパネルの概略構成を示す斜視図である。
【図５】実施例１の吊り階段に用いられる吊りロッドパネルの概略構成を示す斜視図である。
【図６】実施例１のユニット建物の構築方法を説明するための説明図である。
【図７】吊りロッドパネルと天井梁との接合部を示す拡大図である。
【図８】実施例１の吊りロッドパネルの製造方法を説明するための説明図である。
【図９】実施例２のユニット建物の概略構成を示す説明図である。
【図１０】実施例２の段板と内壁との接合部を示す拡大斜視図である。
【図１１】実施例３のユニット建物の概略構成を示す説明図である。
【図１２】実施例４のユニット建物の概略構成を示す説明図である。
【図１３】実施例４の床構造体の部分を示す拡大斜視図である。
【図１４】固定部材がピースものである吊りロッドパネルの概略構成を示す斜視図である。
【発明を実施するための形態】
【００３２】
以下、本発明を実施するための形態を、図面に示す実施例１〜４に基づいて説明する。
【実施例１】
【００３３】
先ず、実施例１の構成について説明する。
【００３４】
図１は、実施例１のユニット建物Ｕ１の概略構成を示している。
【００３５】
このユニット建物Ｕ１は、基礎１Ｂ上に、１階部分の建物ユニット１ａ，１ｂ，１ｃ，１ｄと、２階部分の建物ユニット１ｅ，１ｆ，１ｇ，１ｈとが組み付けられて、建物本体１Ａが構築されている。
【００３６】
そして、１階部分の建物ユニット１ｃ，１ｄ内に連通して吊り階段２Ａが設置されている。
【００３７】
ここで、建物ユニット１ａ，１ｂ，１ｅ，１ｆは、短辺側の長さが略２５００ｍｍで、長辺側の長さが略５４００ｍｍの建物ユニットである。
【００３８】
また、建物ユニット１ｃ，１ｄ，１ｇ，１ｈは、短辺側の長さが略９００ｍｍで、長辺側の長さが２５００ｍｍの張出ユニットである。
【００３９】
さらに、吊り階段２Ａと直交する１階部分の建物ユニット１ｃ，１ｄの隣り合う部分の天井梁と、２階部分の建物ユニット１ｇ，１ｈの隣り合う部分の床梁とは、この吊り階段２Ａの設置の支障とならないように省略されている。
【００４０】
この実施例１の吊り階段構造は、図２に示したように、建物ユニット１ｃ，１ｄの固定部としての溝形鋼の天井梁３に凹部を向かい合わせにしてスチフナー４が、溶接などによりそれぞれ固定して設けられている。
【００４１】
ここで、これらのスチフナー４に、吊りロッドパネル２１，２２，２３がそれぞれ吊設されている。
【００４２】
これら吊りロッドパネル２１，２２，２３は、図３〜図５に示したように、基本的には、立ち上がり部５Ａにスチフナー４にボルト及びナットで固定するための複数のボルト孔５ａ，・・・が設けられたＪ形断面の支持材５の水平部５Ｂに複数の吊りロッド６，・・・の上端部が溶接などにより固定されている。
【００４３】
そして、吊りロッド６に設けられたボルト孔６ａの位置で、水平面部にビス孔８ａ，８ａを有する断面Ｌ形の長尺の固定部材８が、各吊りロッド６の下端部で略水平となるように、ボルト７及びナット（図示せず）により固定されている。
【００４４】
なお、吊りロッドパネル２１の最上段の固定部材８のみは、Ｊ形断面の支持材５の立ち上がりリップ部５Ｃにボルト７及びナット（図示せず）により固定されている。
【００４５】
また、全体の最上段から２段目の固定部材８Ａは、天井梁３の上辺と略同じ高さ位置で、内壁面（図示せず）にボルト及びナット（図示せず）により固定されている。
【００４６】
そして、対向する固定部材８，８及び８Ａ，８Ａ間で、段板９の幅方向の両端部がビス孔８ａの部分でビスなどの締結部材によりそれぞれ固定されている。
【００４７】
なお、全体の最上段の段板９Ａは、２階部分の床材１０に延設されて設けられている。
【００４８】
そして、複数の吊りロッド６，・・・に、吊り階段２Ａの勾配に合わせた所要の高さ位置で、手摺り１１が溶接などにより固定されて、吊り階段２Ａが構成されている。
【００４９】
次に、実施例１のユニット建物Ｕ１の構築方法について説明する。
【００５０】
まず、工場において、建物ユニット１ｃ，１ｄに、吊りロッドパネル２１，２３を予めそれぞれ固定しておく。
【００５１】
また、吊りロッドパネル２１，２３の固定部材８，８間に、段板９も予め固定しておく。
【００５２】
続いて、現場で建物ユニット１ｃ，１ｄを組み付けると、図６に示したように、吊りロッドパネル２２とこの吊りロッドパネル２２の固定部材８，・・・に段板９，・・・が吊設されていない状態となる。
【００５３】
この状態で、二点鎖線で示したように、吊りロッドパネル２２を吊設するとき、建物ユニット１ｃ，１ｄの設置誤差などにより、吊りロッドパネル２１，２３間が広すぎたり、或いは狭すぎたりする場合がある。
【００５４】
このため、吊りロッドパネル２１，２２，２３の支持材５の立ち上がり部５Ａを取り付けるスチフナー４のボルト孔４ａは、図７に示したように、スチフナー４の長手方向に長い長孔とされており、この誤差を吸収して補正することができるようになっている。
【００５５】
続いて、吊りロッドパネル２２の支持材５の立ち上がり部５Ａを、図７に示したように、スチフナー４に設けた切り欠き４ｂに手を入れて、ボルト１２とナット（図示せず）により固定して、吊りロッドパネル２２を吊設し、段板９，・・・を設置する。
【００５６】
そして、最後に手摺り１１を、溶接などにより、吊りロッド６，・・・に固定すると、吊り階段２Ａが構築される。
【００５７】
次に、実施例１の吊りロッドパネル２１，２２，２３の製造方法について説明する。
【００５８】
まず、図８に示したように、吊りロッドパネル２２を構成する支持材５の水平部５Ｂには、ロッド位置出し治具５１，５１が設けられており、３本の吊りロッド６，６，６の上端部６１がそれぞれ貫通されている。
【００５９】
吊りロッド６，６，６の上端部６１には、支持材５の長手方向に位置出し孔６１ａがそれぞれ設けられており、ロッド位置出し治具５１，５１には、支持材５の長手方向に位置出し孔５１ａがそれぞれ設けられている。
【００６０】
そして、吊りロッド６，６，６の位置出し孔６１ａ，６１ａ，６１ａとロッド位置出し治具５１，５１の位置出し孔５１ａ，５１ａへ位置出し用の線材としてのワイヤーＷを通し、このワイヤーＷを張設し、支持材５に対する吊りロッド６，６，６の位置出しを行う。
【００６１】
ここで、吊りロッド６に設けられたボルト孔６ａ，・・・の位置が適切なことを確認したうえで、吊りロッド６，６，６の上端部６１，６１，６１を、支持材５の水平部５Ｂに溶接などにより固定する。
【００６２】
そして、ワイヤーＷを位置出し孔５１ａ，５１ａ，６１ａ，６１ａ，６１ａから抜き取り、吊りロッド６，６，６に、二点鎖線で示した固定部材８，・・・を取り付け固定することで、吊りロッドパネル２２が製造される。
【００６３】
なお、残りの吊りロッドパネル２１，２３についても、同様な製造方法で製造される。
【００６４】
次に、実施例１の作用効果について説明する。
【００６５】
このような実施例１の吊り階段構造は、固定部としての天井梁３に吊設される複数の吊りロッド６，・・・と複数の吊りロッド６，・・・の上端部６１が支持される支持材５と複数の吊りロッド６，・・・の下端部に設けられた固定部材８，・・・とから成る吊りロッドパネル２１，２２，２３と、吊りロッドパネル２１，２２，２３の固定部材８，・・・に固定される段板９，・・・とを備えた構成とされている。
【００６６】
こうした構成なので、吊りロッドパネル２１，２２，２３は、吊りロッド６，・・・が支持材５によりそれぞれ拘束されるため、剛性のあるパネル部材として扱うことができ、作業用の床や足場などを設けなくとも、２階より固定することができ、施工性に優れる。
【００６７】
また、吊りロッドパネル２１，２２，２３が高い強度を有するため、長期の使用に耐え、一般の建物に実施可能な吊り階段２Ａを構築することができる。
【００６８】
そのうえ、設置位置の自由度が高いため、建物のリフォームで実施することにも適している。
【００６９】
ここで、段板９，・・・の幅方向の両端部が吊りロッドパネル２１，２２，２３の固定部材８，・・・に固定されているので、天井梁３に吊りロッドパネル２１，２２，２３を吊設し、段板９，・・・の幅方向の両端部を固定部材８，・・・に固定するだけで、施工性が良く、吊り階段２Ａを構築することができる。
【００７０】
さらに、吊りロッドパネル２１，２２，２３の固定部材８，・・・は、固定される段板９の奥行き方向の長さに合わせて、その奥行きが長尺とされている。
【００７１】
このため、吊りロッドパネル２１，２２，２３は、吊りロッド６，・・・の上端部が支持材５でそれぞれ拘束され、下端部は固定部材８，・・・でそれぞれ拘束されるので、より剛性のあるパネル部材となる。よって、これらの吊りロッドパネル２１，２２，２３は、搬入や取付が行い易く、施工後の吊り階段構造も剛性がある揺れ等の少ない構成となる。
【００７２】
このような実施例１の建物ユニット１ｃ，１ｄは、上記した吊り階段構造による吊り階段２Ａの一部を備えた構成とされている。
【００７３】
こうした構成なので、工場などで、建物ユニット１ｃ，１ｄに、実施例１の吊り階段構造を予め設けておくため、吊り階段２Ａを備えたユニット建物Ｕ１の施工性をより高めることができる。
【００７４】
このような実施例１のユニット建物Ｕ１は、上記した建物ユニット１ｃ，１ｄを備えた構成とされている。
【００７５】
こうした構成なので、実施例１の吊り階段構造の作用効果を享受したユニット建物Ｕ１を構築することができる。
【００７６】
このような実施例１のユニット建物の構築方法は、実施例１の吊り階段構造による吊り階段２Ａの一部を予め備えた建物ユニット１ｃ，１ｄ同士を組み付け、残りの吊り階段構造を現場で施工して、吊り階段２Ａの全体を構築する構成とされている。
【００７７】
こうした構成なので、異なる建物ユニット１ｃ，１ｄ間に跨って、実施例１の吊り階段構造を実施する際に、現場の施工段階で、容易に施工誤差を吸収する処置を行うことができる。
【００７８】
このような実施例１の吊りロッドパネルの製造方法は、支持材５に、ロッド位置出し治具５１，５１を設け、複数の吊りロッド６，・・・の上端部６１，・・・とロッド位置出し治具５１，５１とに支持材５の長手方向に設けた位置出し孔６１ａ，・・・５１ａ，５１ａへ位置出し用の線材としてのワイヤーＷを通す。
【００７９】
そして、ワイヤーＷを張設して支持材５に対する複数の吊りロッド６，・・・の位置出しを行った状態で、支持材５と複数の吊りロッド６，・・・とを固定して、吊りロッドパネル２１，２２，２３を製造する構成とされている。
【００８０】
こうした構成なので、複数の吊りロッド６，・・・のボルト孔６ａの位置や下端部位置が略設計通りとなるため、寸法精度の高い吊りロッドパネル２１，２２，２３を製造することができる。
【実施例２】
【００８１】
次に、実施例２について説明する。
【００８２】
なお、実施例１で説明した内容と同一乃至均等な部分の説明については同一符号を付して説明する。
【００８３】
図９は、実施例２のユニット建物Ｕ２の概略構成を示している。
【００８４】
この実施例２のユニット建物Ｕ２では、図９及び図１０に示したように、吊り階段２Ｂの段板９，・・・の幅方向の一方の端部は、吊りロッドパネル２１，２２，２３の固定部材８，・・・に固定されているが、段板９，・・・の幅方向の他方の端部が、ユニット建物Ｕ２の壁体としての内壁１３に固定部材８０，・・・に固定されていることが、実施例１のユニット建物Ｕ１と主に異なる。
【００８５】
このため、段板９，・・・の他方の端部が内壁１３に簡易に支持されている分、より施工性が良く、吊り階段２Ｂを構築することができる。
【００８６】
なお、他の構成及び作用効果については、実施例１と略同様であるので説明を省略する。
【実施例３】
【００８７】
次に、実施例３について説明する。
【００８８】
なお、実施例１で説明した内容と同一乃至均等な部分の説明については同一符号を付して説明する。
【００８９】
図１１は、実施例３のユニット建物Ｕ３の概略構成を示している。
【００９０】
この実施例３のユニット建物Ｕ３では、吊り階段２Ｃを構成する吊りロッドパネル２２の固定部材８の奥行きが他の固定部材８，・・・よりも長尺とされ、固定される段板９０もこれに合わせて奥行きが長尺とされて、踊り場が形成されていることが、実施例１のユニット建物Ｕ１と主に異なる。
【００９１】
このため、吊り階段２Ｃの踊り場を簡易に構成することができる。
【００９２】
なお、他の構成及び作用効果については、実施例１と略同様であるので説明を省略する。
【実施例４】
【００９３】
次に、実施例４について説明する。
【００９４】
なお、実施例１で説明した内容と同一乃至均等な部分の説明については同一符号を付して説明する。
【００９５】
図１２は、実施例４のユニット建物Ｕ４の概略構成を示している。
【００９６】
この実施例４のユニット建物Ｕ４では、吊り階段２Ｄを構成する吊りロッドパネル２２の固定部材８１は、その奥行きが、実施例３の吊り階段２Ｃの踊り場を形成する吊りロッドパネル２２の固定部材８よりもさらに長尺とされている。
【００９７】
ここで、固定部材８１は、図１３に示したように、溝形鋼のウェブに立ち上がり部を設けた断面ヒ字形状の部材とされている。
【００９８】
また、対向する断面ヒ字形状の固定部材８１，８１の凹部間に、床小梁９１，・・・が架設され、その上面に床板９２が貼設されて床構造体９０Ａが固定されて、中間床が形成されている。
【００９９】
このため、吊り階段２Ｄに、例えば書斎などにも利用できる中間床を簡易に構成することができる。
【０１００】
すなわち、これらのことが、実施例１のユニット建物Ｕ１と主に異なる。
【０１０１】
なお、他の構成及び作用効果については、実施例１と略同様であるので説明を省略する。
【０１０２】
以上、図面を参照して、本発明を実施するための形態について実施例１〜４をもとに詳述してきたが、具体的な構成は、上記した実施例１〜４に限らず、本発明の要旨を逸脱しない程度の設計的変更は、本発明に含まれる。
【０１０３】
例えば、上記実施例１〜４では、ユニット建物Ｕ１，Ｕ２，Ｕ３，Ｕ４を、説明が簡単なように、単純な２階建てとしたが、これに限定されず、３階建て以上のものとして実施してもよい。
【０１０４】
また、上記実施例１〜４では、建物ユニット１ｃ，１ｄに、吊り階段２Ａ，２Ｂ，２Ｃ，２Ｄの一部のみを予め設けて実施したが、これに限定されず、建物ユニットに吊り階段の全体を予め設けて実施してもよい。
【０１０５】
さらに、上記実施例１〜４では、吊り階段２Ａ，２Ｂ，２Ｃ，２Ｄをユニット建物Ｕ１，Ｕ２，Ｕ３，Ｕ４に設置して実施したが、これに限定されず、ユニット建物でない建物に実施してもよい。
【０１０６】
また、上記実施例１〜４では、吊りロッドパネル２１，２２，２３の固定部材８は、段板９の幅方向の端部を奥行き方向全体で固定する長尺物として実施したが、これに限定されない。
【０１０７】
すなわち、吊りロッドパネル２１，２２，２３は、図１４に示したように、段板９の隅部のみを固定するピースものの固定部材８２を用いて実施してもよい。
【符号の説明】
【０１０８】
Ｕ１，Ｕ２，Ｕ３，Ｕ４  ユニット建物
１Ａ    建物本体
１Ｂ    基礎
１ａ，１ｂ，１ｃ，１ｄ  建物ユニット
１ｅ，１ｆ，１ｇ，１ｈ  建物ユニット
２Ａ，２Ｂ，２Ｃ，２Ｄ  吊り階段
２１，２２，２３  吊りロッドパネル
３      天井梁（固定部）
４      スチフナー
４ａ    ボルト孔
４ｂ    切り欠き
５      支持材
５１    ロッド位置出し治具
５１ａ  位置出し孔
５ａ    ボルト孔
５Ａ    立ち上がり部
５Ｂ    水平部
５Ｃ    立ち上がりリップ部
６      吊りロッド
６１    吊りロッドの上端部
６１ａ  位置出し孔
６ａ    ボルト孔
７      ボルト
８      固定部材
８Ａ    固定部材
８０    固定部材
８１    固定部材
８２    固定部材
８ａ    ビス孔
９，９Ａ，９０  段板
９０Ａ  床構造体
１０    床材
１１    手摺り
１２    ボルト
１３    内壁（壁体）
Ｗ      ワイヤー（位置出し用の線材）
【図１】
0005438411.tif 000002
【図２】
0005438411.tif 000003
【図３】
0005438411.tif 000004
【図４】
0005438411.tif 000005
【図５】
0005438411.tif 000006
【図６】
0005438411.tif 000007
【図７】
0005438411.tif 000008
【図８】
0005438411.tif 000009
【図９】
0005438411.tif 000010
【図１０】
0005438411.tif 000011
【図１１】
0005438411.tif 000012
【図１２】
0005438411.tif 000013
【図１３】
0005438411.tif 000014
【図１４】
0005438411.tif 000015